(57)【要約】【課題】天井パネルへの取付けが容易であって、天井パネルの固定作業を容易に行うことができる天井パネル固定部材を提供する。【解決手段】天井パネル固定部材は天井パネル１０を天井位置に固定する。この天井パネル固定部材は天井パネル１０の周縁部に嵌合して取付ける第１部材２０と、この第１部材２０と共に天井パネル１０の周縁部を挟み込み、第１部材２０に係止して天井パネル１０に取付ける取付部４０、及びこの取付部４０に連続して形成し、立設した壁パネル６０の上端部に接続する接続部５０を有した第２部材３０とを備えている。【選択図】図５
2014009519.tif 000002
【特許請求の範囲】
【請求項１】
天井パネルを天井位置に固定する天井パネル固定部材であって、
前記天井パネルの周縁部に嵌合して取付ける第１部材と、
この第１部材と共に前記天井パネルの周縁部を挟み込み、前記第１部材に係止して前記天井パネルに取付ける取付部、及びこの取付部に連続して形成し、立設した壁パネルの上端部に接続する接続部を有した第２部材とを備えていることを特徴とする天井パネル固定部材。
【請求項２】
前記天井パネルは周縁部を立ち上げた立上片を有しており、
前記第１部材はこの立上片を挿入する挿入部を有していることを特徴とする請求項１記載の天井パネル固定部材。
【請求項３】
前記第１部材は前記天井パネルの前記立上片に係止する第１係止部を有していることを特徴とする請求項２記載の天井パネル固定部材。
【請求項４】
前記第１部材は段形状の第２係止部を有しており、
前記第２部材の前記取付部は下方に突出して前記第２係止部に係止する被係止部を有していることを特徴とする請求項１乃至３のいずれか１項記載の天井パネル固定部材。
【請求項５】
前記天井パネルは、室内に露出する天井面を形成した薄板状の表面材、及びこの表面材の裏面に貼着した板状の裏打ち材より構成されており、
前記第２部材の前記取付部は、設定間隔を有する上面部と下面部、及びこの上面部と下面部とを連結する側面部とを有しており、前記上面部と下面部との間に前記表面材及び前記裏打ち材を挟み込むことを特徴とする請求項１乃至４のいずれか１項記載の天井パネル固定部材。
【請求項６】
前記第１部材及び前記第２部材は前記天井パネルの周縁部に沿って前記天井パネルに取付けられるように長尺に形成されていることを特徴とする請求項１乃至５のいずれか１項記載の天井パネル固定部材。
【請求項７】
前記第２部材の前記取付部は、前記第２部材の長手方向に延びて形成され、前記天井パネルの天井面に押圧状態で当接する軟質部を有していることを特徴とする請求項６記載の天井パネル固定部材。
【請求項８】
前記第１部材を前記天井パネルの裏面側からこの天井パネルの周縁部上に嵌合して取付け、前記第２部材を前記天井パネルの周端面側から前記第１部材と共に前記天井パネルの周縁部を挟み込んで取付けることを特徴とする請求項１乃至７のいずれか１項記載の天井パネル固定部材の取付方法。
【発明の詳細な説明】
【技術分野】
【０００１】
本発明は天井パネル固定部材及びその取付方法に関する。
【背景技術】
【０００２】
特許文献１は従来の天井パネル固定部材を開示している。この天井パネル固定部材は、天井パネルに取付ける取付部と、この取付部に連続して形成し、立設した壁パネルの上端部に接続する接続部とを有している。取付部は設定間隔を有する上面部と下面部とを有している。取付部は、上面部と下面部との間に天井パネルを挟み込んだ状態で、天井パネルの周端部にビス止めされている。接続部は下面部から下方に延びた係合片と弾性片とを有している。壁パネルは上端縁に沿って裏側に補強フレームを配設している。この補強フレームは上方に開口したスリット状の挿入口を有している。
【０００３】
この天井パネル固定部材を利用して天井パネルを天井位置に固定する作業手順は次の通りである。先ず、天井パネル固定部材を天井パネルの周端部にビス止めする。そして、壁パネルの上方から天井パネルを下降させつつ、壁パネルの補強フレームの挿入口に接続部の係合片及び弾性片を挿入し、係合片を補強フレームの挿入口の周縁に嵌合させる。このように、天井パネルに取り付けた天井パネル固定部材の接続部を壁パネルの補強フレームに嵌合させることによって、天井パネルの天井位置への固定を完了することができる。
【先行技術文献】
【特許文献】
【０００４】
【特許文献１】特開平７−１５８１９９号公報
【発明の概要】
【発明が解決しようとする課題】
【０００５】
しかし、特許文献１の天井パネル固定部材は、天井パネルの周端部にビス止めする必要があるため、天井パネルを天井位置に固定する作業に手間を要する。
【０００６】
本発明は、上記従来の実情に鑑みてなされたものであって、天井パネルへの取付けが容易であって、天井パネルの固定作業を容易に行うことができる天井パネル固定部材及びその取付方法を提供することを解決すべき課題としている。
【課題を解決するための手段】
【０００７】
本発明の天井パネル固定部材は、天井パネルを天井位置に固定する天井パネル固定部材であって、
前記天井パネルの周縁部に嵌合して取付ける第１部材と、
この第１部材と共に前記天井パネルの周縁部を挟み込み、前記第１部材に係止して前記天井パネルに取付ける取付部、及びこの取付部に連続して形成し、立設した壁パネルの上端部に接続する接続部を有した第２部材とを備えていることを特徴とする。
【発明の効果】
【０００８】
この天井パネル固定部材は第１部材を天井パネルの周縁部に嵌合して取付けることができる。また、この天井パネル固定部材は、第２部材の取付部が第１部材と共に天井パネルの周縁部を挟み込み、第１部材に係止することによって、第２部材を天井パネルに取付けることができる。このように、この天井パネル固定部材はビス等を利用せずに天井パネルに取付けることができる。
【０００９】
したがって、本発明の天井パネル固定部材は、天井パネルへの取付けが容易であって、天井パネルの固定作業を容易に行うことができる。
【００１０】
また、第２部材を第１部材に係止することによって、第２部材が天井パネルから外れることを防止することができる。さらに、第２部材の取付部が第１部材と共に天井パネルの周縁部を挟み込んでいるため、天井パネル固定部材が、天井パネルの天井面を水平方向に配置した状態で上下方向のがたつきを抑制することができる。
【図面の簡単な説明】
【００１１】
【図１】浴室を形成する防水パン、コーナーポスト及び天井つなぎ材を示す斜視図である。
【図２】コーナーポストと天井つなぎ材の接続部を示す分解斜視図である。
【図３】実施例の天井パネル固定部材の第１部材を天井パネルに取付ける状態を示す斜視図である。
【図４】実施例の天井パネル固定部材の第２部材を天井パネルに取付ける状態を示す斜視図である。
【図５】実施例の天井パネル固定部材を取付けた天井パネルと立設した壁パネルとを示す断面図である。
【図６】実施例の天井パネル固定部材を天井つなぎ材にねじ止めする状態を示す断面図である。
【図７】実施例の天井パネル固定部材を利用して天井パネルを天井位置に固定した状態を示す断面図である。
【発明を実施するための形態】
【００１２】
本発明における好ましい実施の形態を説明する。
【００１３】
前記天井パネルは周縁部を立ち上げた立上片を有しており、前記第１部材はこの立上片を挿入する挿入部を有し得る。この場合、第１部材の挿入部に天井パネルの立上片を挿入して、第１部材を天井パネルに取付ける。このため、第１部材の立上片に対する直角方向のずれを確実に防止することができる。つまり、天井パネルの天井面を水平方向に配置した状態で第１部材の水平方向のずれを確実に防止することができる。また、第２部材は第１部材に係止して取付けられるため、第２部材も立上片に対する直角方向（水平方向）のずれを防止することができる。第２部材は、取付部が第１部材と共に天井パネルの周縁部を挟み込むため、天井パネルの天井面を水平方向に配置した状態で垂直方向にずれない。このように、天井パネル固定部材である第１部材及び第２部材を天井パネルに対してずれないように天井パネルに取付けることができる。
【００１４】
前記第１部材は前記天井パネルの前記立上片に係止する第１係止部を有し得る。この場合、第１部材が立上片に係止することによって、天井パネルの周縁部に嵌合して取付けた第１部材が立上片から外れてしまうことを防止することができる。このため、天井パネルの周縁部に第１部材を取付ける作業を容易に行うことができる。
【００１５】
前記第１部材は段形状の第２係止部を有しており、前記第２部材の前記取付部は下方に突出して前記第２係止部に係止する被係止部を有し得る。この場合、第１部材の第２係止部に第２部材の被係止部が係止することによって、第２部材が天井パネルから外れることを防止することができる。また、第２係止部の段形状は、第２係止部と被係止部とを隙間なく係止させ、第２部材のがたつきが生じないような形状とすることができる。
【００１６】
前記天井パネルは、室内に露出する天井面を形成した薄板状の表面材、及びこの表面材の裏面に貼着した板状の裏打ち材より構成されており、前記第２部材の前記取付部は、設定間隔を有する上面部と下面部、及びこの上面部と下面部とを連結する側面部とを有しており、前記上面部と下面部との間に前記表面材及び前記裏打ち材を挟み込み得る。この場合、第２部材の取付け部の上面部と下面部との間に天井パネルの表面材及び裏打ち材を挟み込んで、第２部材を天井パネルに取付けるため、第２部材のがたつきを防止することができる。
【００１７】
前記第１部材及び前記第２部材は前記天井パネルの周縁部に沿って取付けられるように長尺に形成され得る。この場合、天井パネルの１辺の全体に亘って天井パネル固定部材を取付けることができる。天井パネル固定部材を天井パネルの一辺の全体に亘って取付けることによって、天井パネルを天井位置にしっかりと固定することができる。また、第１部材及び第２部材を長尺に形成しても、上述したように、天井パネル固定部材を天井パネルに容易に取付けることができるため、天井パネルの固定作業を容易に行うことができる。
【００１８】
前記第２部材の前記取付部は、前記第２部材の長手方向に延びて形成され、前記天井パネルの天井面に押圧状態で当接する軟質部を有し得る。この場合、天井パネルの天井面に軟質部が押圧状態で当接することによって、浴室等の室内で発生した蒸気等の水分が天井パネルと天井パネル固定部材との間から室外に漏れることを防止することができる。
【００１９】
前記第１部材を前記天井パネルの裏面側からこの天井パネルの周縁部上に嵌合して取付け、前記第２部材を前記天井パネルの周端面側から前記第１部材と共にこの天井パネルの周縁部を挟み込んで取付け得る。この場合、天井パネルに天井パネル固定部材をビス等を使用せずに容易且つ確実に取付けることができる。このため、天井パネル固定作業を容易に行うことができる。
【００２０】
次に、本発明の天井パネル固定部材を具体化し、浴室を形成する天井パネルの固定に利用した実施例について、図面を参照しつつ説明する。
【００２１】
＜実施例＞
天井パネル１０は、図１及び図２に示すように、浴室の４隅に立設したコーナーポスト１の上端部を連結する４つの天井つなぎ材２に対して浴室の内側からねじ止めして固定されるものである。天井パネル１０は、平面視が四角形状であり、４辺が４つの天井つなぎ材２に対応する長さに形成されている。
【００２２】
この天井パネル１０は、図３〜図７に示すように、浴室内に露出する天井面１１Ａを形成した薄板状の表面材１１と、この表面材１１の裏面に貼着した板状の裏打ち材１２とによって構成されている。表面材１１は化粧鋼板であり、裏打ち材１２は石膏ボードである。表面材１１は裏打ち材１２より四方外側に広がっている。この表面材１１は、周縁部を上方へ直角に折り曲げて立ち上げた立上部１３Ａと、この立上部１３Ａの上端から内側に折返した折返し部１３Ｂとを有する立上片１３を形成している。折返し部１３Ｂは下端が立上片１３の高さ方向の中央部に位置している。立上片１３は裏打ち材１２の周端面から外側に離れた位置に形成されている。また、立上片１３は高さが裏打ち材１２の厚みよりも低く形成されている。このように、天井パネル１０は周縁部に立上片１３を有している。
【００２３】
天井パネル固定部材は、図３、及び図４に示すように、第１部材２０と第２部材３０とを備えている。第１部材２０及び第２部材３０は樹脂製である。第１部材２０は、左右方向（図３における奥行き方向）に延び、取付ける天井パネル１０の一辺と略同じ長さに形成された長尺である。第１部材２０は、上壁２１、下壁２２、前壁２３（図３における左側の壁）、及び後壁２４（図３における右側の壁）を有している。第１部材２０は、上壁２１と前壁２３との連結部に段形状の第２係止部２５を形成している。第２係止部２５は、上壁２１の前端部から垂下した垂下部２５Ａと、この垂下部２５Ａの下端から前方に延びて前壁２３の上端部に連結した棚部２５Ｂとによって形成されている。棚部２５Ｂは前端部が上側に突出している。第２係止部２５は第１部材２０の長手方向の全体に亘って形成されている。第２係止部２５は後述する第２部材３０の取付部４０に形成した被係止部４４を係止することができる。
【００２４】
また、第１部材２０は下壁２２の後端部と後壁２４の下端部との間にスリット状の挿入口２６Ａを形成している。この挿入口２６Ａも第１部材２０の長手方向の全体に亘って形成されている。第１部材２０は、前壁２３と後壁２４との間に上壁２１と下壁２２とを連結する内壁２７を有している。この内壁２７も第１部材２０の長手方向の全体に亘って形成されている。この内壁２７の後方空間が挿入口２６Ａを介して天井パネル１０の立上片１３を挿入することができる挿入部２６を形成している。第１部材２０は、下壁２２が内壁２７の下端よりも後方に延びている。この部分の先端部が、挿入部２６に挿入された天井パネル１０の立上片１３の折返し部１３Ｂの下端に係止する第１係止部２８を構成している。
【００２５】
第１部材２０は後壁２４の後面に平板状のクッション材２９を貼着している。このクッション材２９は第１部材２０の長手方向の全体に亘って後壁２４の後面に貼着されている。
【００２６】
図４に示すように、第２部材３０も第１部材２０と同様に、左右方向（図４における奥行き方向）に延び、取付ける天井パネル１０の一辺と略同じ長さに形成された長尺である。第２部材３０は、取付部４０と、取付部４０に連続して形成した接続部５０とを有している。取付部４０は、設定間隔を有する上面部４１と下面部４２、及び上面部４１の後端（図４における右端）と下面部４２の後端（図４における右端）とを連結する側面部４３とを有している。取付部４０は、前方向（図４における左方向）に開口している。取付部４０は、この開口から天井パネル１０を挿入し、上面部４１と下面部４２との間に、表面材１１及び第１部材２０を挿入し、さらに表面材１１及び裏打ち材１２を挟み込むことができる。つまり、上面部４１と下面部４２との間隔（側面部４３の高さ）は天井パネル１０の表面材１１及び裏打ち材１２の厚みより僅かに小さく設定し、取付部４０の弾性変形によって、上面部４１と下面部４２との間に表面材１１及び裏打ち材１２を挟み込むようにしている。
【００２７】
取付部４０の上面部４１は、下方に突出して第１部材２０の第２係止部２５に係止する被係止部４４を有している。この被係止部４４は第２部材３０の長手方向の全体に亘って下方に突出した一条の凸部として形成されている。また、被係止部４４は前後方向の断面外形状が略Ｖ字型に形成されている。被係止部４４は、前側下面４４Ａが傾斜面に形成されており、後側面４４Ｂは略垂直面に形成されている。このため、被係止部４４の後側面４４Ｂが第１部材２０の第２係止部２５の垂下部２５Ａにしっかりと係止することができるため、第２部材３０が天井パネル１０から抜け落ちることを防止することができる。また、取付部４０を天井パネル１０に嵌め込む際に、被係止部４４の前側下面４４Ａが傾斜面に形成されているため、被係止部４４が第１部材２０の上壁２１の上面及び裏打ち材１２の上面をスムーズに通過し、第２部材３０が天井パネル１０の周縁部に容易に嵌め込むことができる。
【００２８】
取付部４０の下面部４２は第２部材３０の長手方向の全体に亘る凹部４５を有している。この凹部４５は後方から前方に向けて下方に傾斜する傾斜面を有している。取付部４０の下面部４２は、凹部４５の前端下部から後方上側に延び、先端に向けて徐々に薄くなる軟質部４６を有している。この軟質部４６は第２部材３０の長手方向の全体に亘って延びている。この軟質部４６は、図５〜図７に示すように、取付部４０内に天井パネル１０を嵌め込んだ状態で、天井パネル１０の天井面１１Ａに押圧状態で当接する。このため、浴室内で発生した蒸気等の水分が天井パネル１０と取付部４０の下面部４２との間から室外に漏れることを防止することができる。取付部４０の下面部４２は前端部４２Ａが下方に突出した鉤状に形成されている。この前端部４２Ａは、後述する第２部材３０の接続部５０の前面に取付けて、天井パネル１０と壁パネル６０との間のコーナー部を隠蔽する目隠しカバー８の上係止部９Ａを係止し、固定することができる。
【００２９】
接続部５０は、図４〜図７に示すように、取付部４０の下面部４２から連続して下方に延びた前面部５１と後面部５２、前面部５１の下端と後面部５２の下端とを連結し、前方に延びた底面部５３、及び底面部５３の前端部５３Ａから連続して下方に延びた垂下部５４を有している。前面部５１と後面部５２とは平行に配置されている。接続部５０は、前面部５１と後面部５２との高さ方向の中央部を連結する連結部５５を有している。また、接続部５０は、連結部５５よりも上側であって、後面部５２の前面から前面部５１に向けて突出した突出片５６を有している。接続部５０は、前面部５１の前面であって、連結部５５よりも僅かに下方に第２部材３０の長手方向の全体に亘って延びた一条の溝部５７を有している。この溝部５７は後方に向けて尖った三角溝形状である。この溝部５７は、工場で固定ねじ６用の孔（図示しない）を加工する際の高さ方向の目印であり、図６及び図７に示すように、コーナーポスト１の上端部を連結する天井つなぎ材２に第２部材３０の接続部５０をねじ止めする際には、工場で加工された孔に固定ねじ６をねじ込むことができる。
【００３０】
接続部５０の底面部５３は、図４〜図７に示すように、前端部５３Ａが上方に突出した鉤状に形成されている。この前端部５３Ａは、後述する第２部材３０の接続部５０の前面に取付けて、天井パネル１０と壁パネル６０との間のコーナー部を隠蔽する目隠しカバー８の下係止部９Ｂを係止し、固定することができる。接続部５０は、底面部５３の下面に貼着したシール材５８を有している。このシール材５８は第２部材３０の長手方向の全体に亘って接続部５０の底面部５３の下面に貼着されている。
【００３１】
次に、このような構成を有する天井パネル固定部材を利用して、浴室の天井パネル１０を天井位置に固定する作業手順を説明する。
【００３２】
先ず、図１に示すように、洗い場防水パン３及び浴槽防水パン４を建物躯体の床面上に設置する。そして、４隅の夫々にコーナーポスト１を立設する。次に、図２に示すように、隣接するコーナーポスト１の上端部に天井つなぎ材２の両端部を固定ねじ７でねじ止めして連結する。そして、天井つなぎ材２に壁パネル６０を仮止めする壁ストッパー５を複数個所に設けた鉤状に切欠いた嵌合部２Ａに嵌合させて取付ける。
【００３３】
壁パネル６０は、図５に示すように、浴室内に露出する壁面６１Ａを形成した薄板状の表面材６１と、この表面材６１の裏面に貼着した板状の裏打ち材６２とによって構成されている。表面材６１は化粧鋼板であり、裏打ち材６２は石膏ボードである、壁パネル６０の表面材６１は、上端部を直角に折り曲げて形成した上面部６３と、上面部の後端部を下方に直角に折り曲げて形成した垂下部６４とを有している。
【００３４】
壁ストッパー５を天井つなぎ材２に取付けた後、壁パネル６０の垂下部６４を壁ストッパー５の係止溝５Ａに係止して壁パネル６０を仮止めしつつ、壁パネル６０をコーナーポスト１に固定する。
【００３５】
一方、図３に示すように、第１部材２０を天井パネル１０の裏面側から天井パネル１０の周縁部上に嵌合して取付ける。つまり、天井パネル１０の周縁部に立ちあげた立上片１３を第１部材２０の挿入口２６Ａを介して挿入部２６内に挿入しつつ、第１部材２０を天井パネル１０の周縁部上に取付ける。
【００３６】
第１部材２０の挿入部２６に天井パネル１０の立上片１３を挿入して、第１部材２０を天井パネル１０に取付けるため、第１部材２０の立上片１３に対する直角方向のずれ、つまり、天井パネル１０の天井面１１Ａを水平方向に配置した状態で第１部材２０の水平方向のずれを確実に防止することができる。そして、図４に示すように、第１部材２０の挿入部２６に天井パネル１０の立上片１３を挿入した状態では、第１部材２０の第１係止部２８が天井パネル１０の立上片１３の折返し部１３Ｂの下端より下方に位置する。このため、第１部材２０が天井パネル１０に対して上方に移動しようとすると、第１係止部２８が折返し部１３Ｂに係止し、第１部材２０が天井パネル１０から外れることを防止することができる。
【００３７】
次に、第２部材３０を天井パネル１０の周縁部に取付ける。つまり、第２部材３０の取付部４０の上面部４１と下面部４２との間に、表面材１１及び第１部材２０を挿入し、さらに表面材１１及び裏打ち材１２を挟み込むように、第２部材３０を天井パネル１０の周端面側から天井パネル１０の中心方向に移動させる。そして、図５に示すように、第２部材３０は被係止部４４の後側面４４Ｂが第１部材２０の第２係止部２５の垂下部２５Ａに係止した状態にする。この際、第１部材２０の後壁２４の後面に貼着したクッション材２９が、後壁２４と第２部材３０の取付部４０の側面部４３との間で押し潰される。このため、第２部材３０に対して、クッション材２９の弾性力が天井パネル１０の中心から外方向に向けて移動するように働き、第２部材３０の被係止部４４の後側面４４Ｂと第１部材の第２係止部２５の垂下部２５Ａとは隙間なく係止することになる。
【００３８】
このように、天井パネル固定部材は、第２部材３０の取付部４０が第１部材２０と共に天井パネル１０の周縁部を挟み込み、第２部材３０の被係止部４４を第１部材２０の第２係止部２５に係止することによって、第２部材３０を天井パネル１０から外れることなく取付けることができる。このため、この天井パネル固定部材はビス等を利用せずに天井パネル１０に取付けることができる。
【００３９】
したがって、実施例の天井パネル固定部材は、天井パネル１０への取付けが容易であって、天井パネル１０の固定作業を容易に行うことができる。
【００４０】
また、第２部材３０は第１部材２０に係止して取付けられるため、第２部材３０も立上片１３に対する直角方向（水平方向）のずれを防止することができる。また、第２係止部２５の段形状は、第２部材３０の被係止部４４の後側面４４Ｂと第１部材の第２係止部２５の垂下部２５Ａとは隙間なく係止させることができ、第２部材３０のがたつきが生じないように形成している。
【００４１】
また、第２部材３０の取付部４０の上面部４１と下面部４２とによって、第１部材２０と共に天井パネル１０の周縁部を挟み込み、かつ表面材１１と裏打ち材１２とを挟み込んでいるため、天井パネル固定部材が、天井パネル１０の天井面１１Ａを水平方向に配置した状態で上下方向のがたつきを抑制し、上下方向のずれを防止することができる。このように、天井パネル固定部材である第１部材２０及び第２部材３０を天井パネル１０に対してずれないように天井パネル１０に取付けることができる。
【００４２】
また、第１部材２０及び第２部材３０は長尺に形成されているため、天井パネル１０の１辺の全体に亘って天井パネル固定部材を容易に取付けることができる。このため、天井パネル１０の固定作業を容易に行うことができる。
【００４３】
このようにして、天井パネル固定部材を天井パネル１０に取付けた後、図６に示すように、天井パネル１０を壁パネル６０の上方から下降する。そして、第２部材３０の接続部５０の底面部５３の下面に貼着したシール材５８を壁パネル６０の上面部６３との間で押圧状態で挟み込む。これによって、浴室内で発生した蒸気等の水分が壁パネル６０と第２部材３０の接続部５０との間から室外に漏れることを防止することができる。そして、第２部材３０の接続部５０の溝部５７に合わせて浴室内から固定ねじ６をねじ込み、第２部材３０を天井つなぎ材２にねじ止めして、天井パネル１０を天井位置に固定する。
【００４４】
そして、図７に示すように、目隠しカバー８の上下係止部９Ａ、９Ｂを第２部材３０の取付部４０の下面部４２の前端部４２Ａと、接続部５０の底面部５３の前端部５３Ａとに係止して接続部５０の前面に取付ける。これによって、目隠しカバー８が天井パネル１０と壁パネル６０との間のコーナー部を隠蔽するとともに、固定ねじ６の頭部も隠蔽することができる。目隠しカバー８の上端部８Ａ及び下端部８Ｂは軟質樹脂によって形成されている。このため、目隠しカバー８の上端部８Ａは天井パネル１０の天井面１１Ａに当接し、下端部８Ｂは壁パネル６０の壁面６１Ａに当接して、浴室内で発生した蒸気等の水分が天井パネル１０と壁パネル６０とのコーナー部から室外に漏れることを防止している。
【００４５】
このようにして、浴室の天井パネル１０を天井位置に固定する作業を終了する。
【００４６】
このように固定された天井パネル１０は、天井パネル固定部材が天井パネル１０の一辺の全体に亘って取付けられているため、天井位置にしっかりと固定することができる。また、第２部材３０の軟質部４６が天井パネル１０の天井面１１Ａに押圧状態で当接した状態になっている。このため、浴室内で発生した蒸気等の水分が天井パネル１０と天井パネル固定部材との間から室外に漏れることを防止することができる。
【００４７】
＜他の実施例＞
本発明は上記記述及び図面によって説明した実施例に限定されるものではなく、例えば次のような実施例も本発明の技術的範囲に含まれる。
（１）実施例では、第１部材に立上片に係止する第１係止部を設けたが、第１係止部を設けなくてもよい。
（２）実施例では、第１部材に段形状の第２係止部を設け、第２部材に第２係止部に係止する下方に突出した被係止部を設けたが、第２部材が第１部材に係止することができるものであれば他の形態であっても良い。
（３）実施例では、天井パネルが表面材と裏打ち材とから構成したが、天井パネルは単一の板材から形成されたものでもよい。
（４）実施例では、第２部材の取付部に設けた軟質部が取付部の下面部から後方上側に延び、先端に向けて徐々に薄く形成したが、他の形態であってもよい。
（５）実施例では、第２取付部材の接続部を天井つなぎ材にねじ止め固定したが、接続部を壁パネルに上端部に固定してもよい。
（６）実施例では、第１部材の後壁の後面に平板状のクッション材を貼着したが、他の形態でもよく、クッション材が無くてもよい。
（７）実施例では、第２部材の底面部にシール材を貼着したが、他の形態でもよく、シール材が無くてもよい。
【符号の説明】
【００４８】
１０…天井パネル
１１…表面材
１１Ａ…天井面
１２…裏打ち材
１３…立上片
２０…第１部材
２６…挿入部
２５…第２係止部
２８…第１係止部
３０…第２部材
４０…取付部
４１…上面部
４２…下面部
４３…側面部
４４…被係止部
４６…軟質部
５０…接続部
６０…壁パネル
【図１】
2014009519.tif 000003
【図２】
2014009519.tif 000004
【図３】
2014009519.tif 000005
【図４】
2014009519.tif 000006
【図５】
2014009519.tif 000007
【図６】
2014009519.tif 000008
【図７】
2014009519.tif 000009